(57)【要約】【課題】  五徳上に鍋が有るか無いかの状態に応じて二次空気の供給を変更調整し得るコンロバーナを提供する。【解決手段】  燃料ノズル７から噴射される燃料ガスによってファンケース４内の空気が燃焼管２３内に一次空気として吸入され、混合気が炎口２１２で燃焼される。バーナヘッド２１の中央開口部２１１を通して上方に吹き込まれた二次空気がバーナキャップ２２により外周側に流れを変えて燃焼火炎Ｒに供給される。鍋が五徳６に載置されると、その自重が作動部材８３・第２バネ８４を介して遮蔽部材８１に対し下向きの作動力として伝達され、第１バネ８２を変形させて遮蔽部材を上面開口２１３に押し付けて閉止させ、二次空気の供給を停止させる。鍋が外されると弾性復元力により上面開口が開いて二次空気の供給が再開される。【選択図】      図１
2006207951.tif 000002
【特許請求の範囲】
【請求項１】
二次空気を燃焼火炎に供給する二次空気供給手段を備えたコンロバーナにおいて、
五徳上に鍋が載置されたことを検知する鍋検知手段と、
この鍋検知手段による検知を受けて上記二次空気供給手段による二次空気の供給量を変更調整する二次空気量変更調整手段と
を備えている
ことを特徴とするコンロバーナ。
【請求項２】
二次空気の供給通路を備え、炎口からの燃焼火炎に対し二次空気が供給可能に構成されたコンロバーナにおいて、
五徳上に載置される鍋の自重を受けて上記二次空気の供給通路の開閉切換を自動的に行う開閉切換手段を備え、
上記開閉切換手段は、
上記二次空気の供給通路を開閉切換可能な遮蔽部材と、
力の開放状態において上記遮蔽部材を開状態に維持する弾性部材と、
五徳上への加熱対象の載置により受けた加熱対象の自重を上記遮蔽部材に対し上記弾性部材に抗して上記供給通路を開状態から閉切換する作動力として伝達する作動部材と
を備えている
ことを特徴とするコンロバーナ。
【請求項３】
請求項２に記載のコンロバーナであって、
上記作動部材と遮蔽部材との間に介装されて圧縮復元力を上記遮蔽部材に対し閉状態に維持するための押し付け力として作用させる第２弾性部材を、さらに備えている、コンロバーナ。
【発明の詳細な説明】
【技術分野】
【０００１】
本発明は、一次空気に加えて二次空気も供給し得るように構成されたコンロバーナであって、それら一次空気及び二次空気の供給状況を五徳上に載置される加熱対象の鍋の有無に応じて変更調節し得るコンロバーナに関する。
【背景技術】
【０００２】
従来、ガスコンロに対し、鍋検知センサと、この鍋検知信号を受けてガス供給管の自動開閉弁を開閉制御する制御手段とを設けたものが知られている（例えば特許文献１参照）。このものでは、光式又は接触式の鍋検知センサをコンロ天板上の五徳近傍位置に設け、鍋検知センサが鍋の存在を検知すれば、この鍋検知センサから出力される信号に基づいて自動開閉弁を開にしてバーナ火炎を設定値に変更する一方、鍋検知センサが鍋の存在を検知できないときには、上記自動開閉弁を閉にしてバーナ火炎を最小に変更する、という制御を行うようにしている。又、通常、コンロバーナにおいては、燃焼させるガスに対し予め
空気（一次空気）を混合させ、かかる混合ガスの供給を受けて燃焼させるようになっている。
【０００３】
【特許文献１】特開平８−２００６８９号公報
【発明の開示】
【発明が解決しようとする課題】
【０００４】
ところで、近年、ガスコンロに対しても電動のファンモータを搭載し、このファンモータの駆動により燃焼用空気を強制供給（いわゆるファンアシスト）することにより積極的に燃焼をアシストし加熱効率の向上等を図ろうとすることが試みられたり、商品化されたりしている。これは、例えば、コンロバーナのバーナ本体をファンケース内に収容させ、このファンケース内に対しファンモータを用いて空気を強制供給することにより、コンロバーナに対し一次空気、あるいは一次空気及び二次空気の双方を供給し得る構成となっており、二次空気も供給する場合にはドーナッツ環状のバーナ本体を用い中央開口から二次空気が吹き出されるように構成している。
【０００５】
しかしながら、ファンモータの駆動により一次空気及び二次空気を一律かつ絶えず供給し続けると、不都合を招く場合が生じる。すなわち、五徳上に鍋が載置された状態では、バーナ本体の中央開口からの二次空気が鍋底に対し絶えず吹き付けられてしまうと鍋の冷却につながり、かえって加熱効率の低下を招くおそれがある。五徳上に鍋がない状態で燃焼させる場合には、二次空気の吹き出しがなくて一次空気が多くなると火炎がリフトし易くなってしまうおそれも考えられる。一方、上記文献にて開示されているような鍋検知センサを用いて制御することとすると、制御対象である二次空気の供給通路自体の構成が複雑になってしまうおそれがある上に、センサの追加によりコスト的にも維持上も支障となってしまう。
【０００６】
本発明は、このような事情に鑑みてなされたものであり、その目的とするところは、ガスコンロの五徳上に鍋が有るか無いかの状態に応じて二次空気の供給を調整し得るコンロバーナを提供することにある。
【課題を解決するための手段】
【０００７】
上記目的を達成するために、請求項１に係る発明では、二次空気を燃焼火炎に供給する二次空気供給手段を備えたコンロバーナを対象として、五徳上に鍋が載置されたことを検知する鍋検知手段と、この鍋検知手段による検知を受けて上記二次空気供給手段による二次空気の供給量を変更調整する二次空気量変更調整手段とを備えることとした。
【０００８】
この請求項１に係る発明の場合、五徳上に鍋が載置されると、それが鍋検知手段に検知され、この検知を受けて二次空気変更調整手段によって二次空気供給手段による供給量が変更調整されることになる。これにより、鍋の有無に応じて二次空気の供給量を適切に変更調整することが可能になる。なお、上記の「鍋」とは、通常言われるところの鍋の他に例えばフライパンや蒸し器等も、その概念に含まれる。この点は以下の各請求項においても同じである。
【０００９】
請求項２に係る発明では、二次空気の供給通路を備え、炎口からの燃焼火炎に対し二次空気が供給可能に構成されたコンロバーナを対象として、五徳上に載置される鍋の自重を受けて上記二次空気の供給通路の開閉切換を自動的に行う開閉切換手段を備えこととした。そして、上記開閉切換手段として、上記二次空気の供給通路を開閉切換可能な遮蔽部材と、力の開放状態において上記遮蔽部材を開状態に維持する弾性部材と、五徳上への加熱対象の載置により受けた加熱対象の自重を上記遮蔽部材に対し上記弾性部材に抗して上記供給通路を開状態から閉切換する作動力として伝達する作動部材とを備えて構成することとした。
【００１０】
この請求項２に係る発明の場合、五徳上に鍋が載置されると、その鍋の自重が作動部材を介して遮蔽部材に伝達され、この自重に基づく作動力により弾性部材に抗して遮蔽部材が閉切換作動して二次空気の供給通路を閉止することになる。逆に鍋が取り外されると、弾性部材の弾性復元力により遮蔽部材は開状態に復帰し、二次空気の供給が元通りに再開されることになる。この際、弾性部材の弾性力の設定により、鍋の自重、つまり内容物の多少に応じて完全閉止状態又は不完全閉止状態になるようにして、二次空気の停止・供給の切換のみならず、二次空気の供給量の変更調整をも可能にすることが可能になる。
【００１１】
又、上記の請求項２のコンロバーナにおいては、上記作動部材と遮蔽部材との間に介装されて圧縮復元力を上記遮蔽部材に対し閉状態に維持するための押し付け力として作用させる第２弾性部材を、さらに備えるようにすることができる（請求項３）。このようにすることにより、遮蔽部材の閉止状態維持の確実化が図れる一方、鍋底の形状が平らであったり、若干凸カーブであったりしても、その形状のばらつきを上記第２弾性部材により吸収可能となり実用性の向上が図られる。
【発明の効果】
【００１２】
以上、説明したように、請求項１のコンロバーナによれば、五徳上への鍋の載置が鍋検知手段に検知され、この検知を受けて二次空気変更調整手段によって二次空気供給手段による供給量を変更調整することができるようになる。これにより、鍋の有無に応じて二次空気の供給量を適切に変更調整することができるようになる。
【００１３】
請求項２又は請求項３のコンロバーナによれば、請求項１と同様に、鍋の有無に応じて二次空気の供給量を適切に変更調整することができるようになる。しかも、その変更調整を、五徳上に載置される鍋の自重に基づいて二次空気の供給通路を開閉切換作動するというように、電子部品等を一切用いることなく機械式構成により自動切換させることができるようになる。
【００１４】
特に請求項３によれば、遮蔽部材の閉止状態維持の確実化を図ることができる他に、鍋底の形状にばらつきがあっても第２弾性部材により吸収することができ、実用性の向上を図ることができる。
【発明を実施するための最良の形態】
【００１５】
以下、本発明の実施形態を図面に基づいて説明する。
【００１６】
図１は本発明の実施形態に係るコンロバーナ２を搭載したガスコンロ３を示す。このガスコンロ３はいわゆるファンアシストにより一次空気及び二次空気の双方を強制供給可能に構成されたものである。
【００１７】
上記ガスコンロ３は、図２及び図３に示すように、コンロバーナ２をファンケース４内に収容し、ファンケース４の蓋４１の開口部４２及び天板５の開口部５１からコンロバーナ２のバーナヘッド２１を飛び出させ、飛び出させたバーナヘッド２１に対しバーナキャップ２２を被せ、そして、天板（例えばガラス天板）５に対し五徳６を載置させて構成されている。上記ファンケース４の蓋４１にはファンモータ４３が装着され、このファンモータ４３の作動により蓋４１により閉止されたファンケース４内に外部から空気が強制的に押し込まれるようになっている。又、このファンケース４には、外部から燃料ガス供給管により導かれた燃料ガスを噴射させる燃料ノズル７が配設されており、この燃料ノズル７がコンロバーナ２の後述の燃料導入口２３１に臨んで対向配置されている。
【００１８】
上記コンロバーナ２は、中心軸上に延びる中央開口部２１１が上下方向に貫通形成され外周側に炎口２１２，２１２，…が形成されたドーナッツ環状の上記バーナヘッド２１と、上記のバーナキャップ２２と、上流側に燃料導入口２３１を下流側に円環状の混合気通路２３２をそれぞれ備えた燃焼管２３とを備えて基本構成されている。上記の中央開口部２１１を通してファンケース４内の空気が下から上に向けて上記ファンモータ４３の押し込み圧により送風され、そして上面開口２１３から上方に吹き出された送風がバーナキャップ２２にぶつかって向きを外周側に変え、これにより、上記炎口２１２，２１２の燃焼火炎Ｒに対し二次空気として供給されるようになっている（図１の点線の矢印参照）。上記の中央開口部４２が二次空気の供給通路を構成し、上記のファンモータ４３等が二次空気供給手段を構成する。
【００１９】
上記燃焼管２３の混合気通路２３２は上記炎口２１２，２１２の下側位置でバーナヘッド２１の下側部位を取り囲むように環状に配置され、上記炎口２１２，２２１２に連通されて混合気を供給し得るようになっている。この混合気は、次のようにして生成・供給される。すなわち、上記燃料ノズル７から燃料ガスが燃料導入口２３１内に噴射されると、その噴射流によりファンケース４内の空気が一次空気として燃料導入口２３１内に吸入され、この吸入された一次空気が燃料ノズル７からの燃料ガスに対し混合されて混合気とされ、この混合気が上記の如く混合気通路２３２を通して炎口２１２，２１２に供給されて燃焼火炎Ｒを形成するようになっている。
【００２０】
上記構造のコンロバーナ２には、さらに、上記中央開口部２１１の上面開口２１３を鍋の有無に応じて自動開閉する開閉切換手段８が付設されている。この開閉切換手段８は、上記上面開口２１３を開閉切換可能な遮蔽部材８１と、この遮蔽部材８１を常時は上面開口２１３の上方位置で浮かして開状態に維持する第１バネ８２と、上記遮蔽部材８１に対し鍋の自重に基づく作動力を付与する作動部材８３と、この作動部材８３からの作動力をバネ押圧力にして上記遮蔽部材８１に伝達する第２バネ８４とを備えたものである。上記の第１バネ８２及び第２バネ８４が弾性部材を構成する。
【００２１】
上記の第１及び第２のバネ８２，８４のバネ剛性は次のように設定されている。図４に示すように、第１バネ８２は開放状態（作動力が作用していない状態）で遮蔽部材８１を正面開口２１３から間隔Ｓ２だけ上方に離して浮かせた状態に維持し、第２バネ８４は開放状態で作動部材８３を遮蔽部材８１から間隔Ｓ３だけ上方に離して浮かせた状態に維持し、これらの結果、上記作動部材８３が五徳６よりも上方に間隔Ｓ１だけ突出した状態に維持されている。これら間隔Ｓ１，Ｓ２，Ｓ３は次のような関係になるように設定されている。
【００２２】
Ｓ１＜Ｓ２＋Ｓ３
又、第１バネ８２のバネ剛性Ｖ１と、第２バネ８４のバネ剛性Ｖ２とは次のような関係になるように設定されている。
【００２３】
Ｖ１＜Ｖ２
以上より、五徳６上に鍋等が載せられていない状態では、上記の如く、遮蔽部材８１がバーナヘッド２１の上面開口２１３よりも間隔Ｓ２だけ上方位置に、作動部材８３が遮蔽部材８１の上面よりも間隔Ｓ３だけ上方位置にそれぞれ位置付けられ、作動部材８３の上面は五徳６の上面よりも間隔Ｓ１だけ上方に位置付けられている。
【００２４】
五徳６上に、図５に示すように鍋Ｐが載せられると、その鍋Ｐの自重が作動部材８３に対し下向きに作用するため、まず第１バネ８２が撓んで縮小変形して遮蔽部材８１が上面開口２１３に押し付けられて上面開口２１３は遮蔽される。つまり間隔Ｓ２はゼロとなる。その際、第２バネ８４も上記の自重を受けて撓むものの、間隔Ｓ３はゼロにはならず、第２バネ８４を介して遮蔽部材８１に作動力を伝達する一方、遮蔽部材８１を第１バネ８２に抗して上面開口２１３を閉止する側に押し付ける役割を果たすことになる。鍋Ｐの底が下に凸カーブになっているなどの鍋底形状が平らではない場合でも、上記第２バネ８４の余裕代により吸収される。
【００２５】
以上より、五徳６上に鍋Ｐが載せられると、上面開口２１３が閉止されるため、ファンモータ４３が作動されていても、二次空気の供給は停止する。この結果、ファンケース４内に押し込まれている空気は燃料導入口２３１からの一次空気吸入側に廻り、一次空気の供給比率が増大する一方、鍋Ｐの中央部に対し二次空気が吹き付けられることが阻止される。上記の一次空気の供給比率の増大に伴い燃焼の早期完結が図られ、及び、二次空気の吹き付けを停止させて鍋Ｐの中央部を加熱する構造の実現が図られ、これらにより加熱効率の増大を図ることができる。そして、五徳上から鍋Ｐが外されると、主として第１バネ８２の圧縮復元力により遮蔽部材８１は上方に浮き上がって、上面開口２１３が開状態に切換わるため、中央開口部２１１からの二次空気の供給が再開されることになる。これにより、相対的に一次空気の供給比率が下がって燃焼火炎のリフトが生じ難くなる。又、二次空気の吹き出しにより、天板５上等に設置されているセンサ等を冷却して過加熱状態に陥ることを防止することができる。しかも、これらの切換を、センサ等の電子部品を使用することく機械式の上記開閉切換手段８によって自動的に行わせることができ、コスト的にも維持の面でも有利となる。
【００２６】
なお、以上の説明では鍋Ｐの内容物の自重が遮蔽部材８１を閉止状態に切換可能な程度以上の場合について説明したが、鍋Ｐの自重が軽ければ（加熱対象物が少なければ）、遮蔽部材８１は上面開口２１３を完全閉止ではなく僅かに隙間を空けた不完全閉止状態になる。これにより、鍋Ｐの有無のみならず、鍋Ｐ内の加熱対象物の多少によっても二次空気の供給量の変更調整が可能になる。
【００２７】
以上の開閉切換手段８が、本発明における五徳上に載置される加熱対象（鍋等）の有無に応じて二次空気の供給量を自動的に変更調整する二次空気量変更調整手段、又は、五徳６上に鍋Ｐが有るか否かを検知する機械式の鍋検知手段を構成する。
【００２８】
＜他の実施形態＞
なお、本発明は上記実施形態に限定されるものではなく、その他種々の実施形態を包含するものである。すなわち、上記実施形態では、鍋の自重に基づく作動力を第２バネ８４を介して遮蔽部材８１に伝達させているが、これに限らず、上記の第２バネ８４を省略して上記作動力を遮蔽部材８１に対し直接に伝達させるようにしてもよい。
【００２９】
上記実施形態では開閉切換手段８のバネ８２又は８４としてコイルスプリングを使用しているが、これに限らず、平バネ等の各種バネやゴム等の弾性素材を用いた弾性部材を使用するようにしてもよい。
【図面の簡単な説明】
【００３０】
【図１】本発明の実施形態を適用したガスコンロの断面説明図である。
【図２】図１のガスコンロの部分斜視図である。
【図３】図１のガスコンロの一部省略分解斜視図である。
【図４】図１のガスコンロに搭載されたコンロバーナの要部の拡大図である。
【図５】鍋を五徳上に載置した状態の図１対応図である。
【符号の説明】
【００３１】
２        コンロバーナ
６        五徳
８        開閉切換手段（鍋検知手段、二次空気量変更調整手段）
４３      ファンモータ（二次空気供給手段）
８１      遮蔽部材
８２      第１バネ（弾性部材）
８３      作動部材
８４      第２バネ（第２弾性部材）
２１１    中央開口部（二次空気の供給通路）
２１２    炎口
Ｐ        鍋
Ｒ        燃焼火炎
【図１】
2006207951.tif 000003
【図２】
2006207951.tif 000004
【図３】
2006207951.tif 000005
【図４】
2006207951.tif 000006
【図５】
2006207951.tif 000007